(57)【要約】【課題】色分解プリズムの側面に直交する方向のサイズを従来よりも縮小することができる光分解プリズムの固定構造及び撮像装置を提供する。【解決手段】撮像部１は、入射光を複数の波長成分に分解する光分解プリズム２０と、  光分解プリズム２０の光入射面に対向すると共に、光入射面に入射光を通すための穴部と、当該穴部の外周側に設けられたネジ挿通孔１１と、が形成されたプリズム固定板１０と、光分解プリズム２０の２つの対向する側面にそれぞれ固定され、プリズム固定板１０に対向する側面にネジ穴４１が形成された一対の板状固定部材４０と、プリズム固定板１０のネジ挿通孔１１を通過して、板状固定部材４０のネジ穴４１にねじ込まれる長ネジ１２と、を備えている。【選択図】図３
2018207347.tif 000002
【特許請求の範囲】
【請求項１】
入射光を複数の波長成分に分解する光分解プリズムと、
光分解プリズムの光入射面に対向すると共に、前記光入射面に入射光を通すための穴部と、当該穴部の外周側に設けられたネジ挿通孔と、が形成されたプリズム固定板と、
前記光分解プリズムの２つの対向する側面にそれぞれ固定され、前記プリズム固定板に対向する側面にネジ穴が形成された一対の板状固定部材と、
前記プリズム固定板のネジ挿通孔を通過して、前記板状固定部材の前記ネジ穴にねじ込まれることで、前記光分解プリズムを前記プリズム固定板に固定するネジ部材と、
を備えた光分解プリズムの固定構造。
【請求項２】
前記光分解プリズムの光出射面に取り付けられるイメージセンサをさらに備えた
請求項１に記載の光分解プリズムの固定構造。
【請求項３】
前記色分解プリズムは、入射光を２つ又は３つの波長成分に分解するプリズムである
請求項１に記載の光分解プリズムの固定構造。
【請求項４】
請求項２に記載の光分解プリズムの固定構造と、
前記光分解プリズムの光出射面に取り付けられたイメージセンサにより生成された信号に対して所定の信号処理を施す信号処理部と、
を備えた撮像装置。
【発明の詳細な説明】
【技術分野】
【０００１】
本発明は、光分解プリズムの固定構造及び撮像装置に関する。
【背景技術】
【０００２】
従来、テレビカメラ等の撮像装置に使用される色分解プリズムの固定構造が開示されている（特許文献１参照）。
特許文献１の技術は、色分解プリズムの固定用の接着面に高精度な加工を施すことなく、当該色分解プリズムを固定するものである。
【０００３】
図４は、従来例を示す斜視図である。図５は、従来例を示す断面図である。
特許文献１によると、図４及び図５に示すように、色分解プリズム１１は、Ｌ字状の薄い金属板で構成された固定手段１４によって、基台１３に固定される。実際には、色分解プリズム１１とＬ字状の固定手段１４の間には固定部材が必要であるが、ここでは省略する。
【０００４】
すなわち、固定手段１４は、色分解プリズム１１の側面に対向する第１の部位と、第１の部位に直交すると共に基台１３に対向する第２の部位と、で構成されている。第１の部位は、色分解プリズム１１の側面に接着剤によって固定される。第２の部位は、スペーサ１５及び押え板１７に挟まれた状態で、基台１３に固定される。
【先行技術文献】
【特許文献】
【０００５】
【特許文献１】特開２００６−２２９５６３号公報
【発明の概要】
【発明が解決しようとする課題】
【０００６】
しかし、特許文献１の技術を用いた撮像装置は、次の理由により、あまり小型化を図れないという問題があった。
Ｌ字状部材である固定手段１４は、色分解プリズム１１の両側面にそれぞれ設けられる。さらに、固定手段１４の第２の部位は、基台１３の面に沿って延びて構成されている。
【０００７】
このため、撮像装置の小型化を図ろうとしても、色分解プリズムの対向する２つの側面の間（色分解プリズムの幅）の長さだけでなく、固定手段１４の基台１３に沿って形成された長さも考慮する必要があり、小型化に限界があった。
【０００８】
本発明は、このような実情を鑑みて提案されたものであり、色分解プリズムの側面に直交する方向のサイズを従来よりも縮小することができる光分解プリズムの固定構造及び撮像装置を提供することを目的とする。
【課題を解決するための手段】
【０００９】
上述した課題を解決するため、本発明に係る光分解プリズムの固定構造は、入射光を複数の波長成分に分解する光分解プリズムと、光分解プリズムの光入射面に対向すると共に、前記光入射面に入射光を通すための穴部と、当該穴部の外周側に設けられたネジ挿通孔と、が形成されたプリズム固定板と、前記光分解プリズムの２つの対向する側面にそれぞれ固定され、前記プリズム固定板に対向する側面にネジ穴が形成された一対の板状固定部材と、前記プリズム固定板のネジ挿通孔を通過して、前記板状固定部材の前記ネジ穴にねじ込まれることで、前記光分解プリズムを前記プリズム固定板に固定するネジ部材と、を備えている。
【００１０】
前記光分解プリズムの固定構造は、前記光分解プリズムの光出射面に取り付けられるイメージセンサをさらに備えてもよい。
前記色分解プリズムは、入射光を２つ又は３つの波長成分に分解するプリズムであってもよい。
【００１１】
本発明に係る撮像装置は、前記光分解プリズムの光出射面に取り付けられるイメージセンサをさらに備えた光分解プリズムの固定構造と、前記光分解プリズムの光出射面に取り付けられたイメージセンサにより生成された信号に対して所定の信号処理を施す信号処理部と、を備えている。
【発明の効果】
【００１２】
本発明は、色分解プリズムの側面に直交する方向のサイズの小型化を図ることができる。
【図面の簡単な説明】
【００１３】
【図１】本発明の実施形態に係る撮像装置の概略構成を示すブロック図である。
【図２】撮像部の構造を示す要部斜視図である。
【図３】撮像部の構造を説明するための要部分解斜視図である。
【図４】従来例を示す斜視図である。
【図５】従来例を示す断面図である。
【発明を実施するための形態】
【００１４】
以下、本発明の実施形態について図面を参照しながら詳細に説明する。
図１は、本発明の実施形態に係る撮像装置の概略構成を示すブロック図である。
【００１５】
本発明の実施形態に係る撮像装置は、被写体からの光に基づいて信号を生成する撮像部１と、生成された信号に所定の信号処理を施す信号処理部５０と、信号処理済の信号に基づいて被写体を表示する表示部６０と、を備える。
【００１６】
撮像部１は、被写体から光に基づいて、赤（Ｒ）、緑（Ｇ）、青（Ｂ）の各色の信号を生成する。信号処理部５０は、各色の信号Ｒ，Ｇ，Ｂを用いて、ホワイトバランス調整、ガンマ補正等の所定の信号処理を施す。表示部６０は、信号処理済みの信号を用いて被写体の画像を表示する。
【００１７】
図２は、撮像部１の構造を示す要部斜視図である。図３は、撮像部１の構造を説明するための要部分解斜視図である。
撮像部１は、プリズム固定板１０と、色分解プリズム２０と、センサ基板３０Ｒ，３０Ｂ，３０Ｇと、固定部材４０と、を備える。
【００１８】
プリズム固定板１０は、色分解プリズム２０の光入射面側に設けられる。プリズム固定板１０の中央部には、色分解プリズム２０に入射光を導くための光透過部材１３設けられている。当該穴部の外周側には、後述するネジ挿通孔１１が形成されている。
【００１９】
色分解プリズム２０は、入射光を赤（Ｒ）、緑（Ｇ）、青（Ｂ）の各色の光に分離して、３つの光出力面から各色の光を出力する。色分解プリズム２０の赤色光の出力面にはセンサ基板３０Ｒが、緑色光の出力面にはセンサ基板３０Ｇが、青色光の出力面にはセンサ基板３０Ｂが、設けられている。
【００２０】
図３に示すように、色分解プリズム２０は、一対の固定部材４０によって、プリズム固定板１０に固定される。なお、図３では、１つの固定部材４０のみ示されているが、当該固定部材４０の対になる固定部材が、同図の色分解プリズム２０の陰に存在している。
【００２１】
固定部材４０は、板状に形成された部材である。固定部材４０の外周部は、色分解プリズム２０の側面（光の進行方向に直交する方向を法線とする側面）の外周部に沿って形成されている。一対の固定部材４０は、色分解プリズム２０を挟んだ状態で、当該色分解プリズム２０のそれぞれの側面に張り合わされる。
【００２２】
固定部材４０の外周部の側面であって、プリズム固定板１０と対向する側面（ネジ穴面）には、ネジ穴４１が形成されている。ネジ穴４１の延長線上であって、プリズム固定板１０と交差する位置には、ネジ挿通孔１１が形成されている。つまり、ネジ穴４１とネジ挿通孔１１は対になる。本実施形態では、プリズム固定板１０には４つのネジ挿通孔１１が設けられているため、これらに対応するように、一対の固定部材４０には４つのネジ穴が設けられる。
【００２３】
そして、図３に示すように、長ネジ１２が、プリズム固定板１０のネジ挿通孔１１を通り、固定部材４０のネジ穴にねじ込まれている。これにより、一対の固定部材４０は、色分解プリズム２０をプリズム固定板１０に固定することができる。
【００２４】
従来は、色分解プリズム２０の側面に直交する方向（側面の法線方向）に、色分解プリズム２０をプリズム固定板１０に固定するための部材を設ける必要があり（図４及び図５参照）、当該方向のサイズを小さくすることができなかった。
【００２５】
これに対して、本実施形態に係る撮像装置によれば、色分解プリズム２０の側面に貼り付けられた一対の固定部材４０のネジ穴面に対して、長ネジ１２が、プリズム固定板１０のネジ挿通孔１１を通ってねじ込まれる。
【００２６】
これにより、色分解プリズム２０の側面に直交する方向に、色分解プリズム２０をプリズム固定板１０に固定するための部材を設けることなく、色分解プリズム２０がプリズム固定板１０に固定可能になる。すなわち、色分解プリズム２０の側面に直交する方向のサイズを縮小することができる。
【００２７】
本発明は、上述した実施形態に限定されるものではなく、特許請求の範囲に記載された事項の範囲内で設計変更されたものにも適用可能である。
【００２８】
上述した実施形態では、入射光を３つの波長成分に分解する色分解プリズム２０を例に挙げて説明したが、本発明はこれに限定されるものではない。例えば、入射光を２つの波長成分に分解する色分解プリズムを用いることも可能である。
【符号の説明】
【００２９】
１  撮像部
１０  プリズム固定板
１１  ネジ挿通孔
１２  長ネジ
２０  色分解プリズム
３０Ｒ，３０Ｂ，３０Ｇ  センサ基板
４０  固定部材
４１  ネジ穴
５０  信号処理部
６０  表示部
【図１】
2018207347.tif 000003
【図２】
2018207347.tif 000004
【図３】
2018207347.tif 000005
【図４】
2018207347.tif 000006
【図５】
2018207347.tif 000007